(57)【特許請求の範囲】
【請求項１】
カメラ付ドアホンとの相互間でインターホン通話を実行するためのマイク及びスピーカと、前記カメラ付ドアホンから呼出信号が送信されてきたときにスピーカから所定の呼出音を発生させるための呼出回路とを備えたモニタテレビ付インターホンであって、前記マイク及びスピーカによるインターホン通話を実行するための通話制御手段が前記呼出回路とは別に設けられ、この通話制御手段は、所定の通話釦がオン操作された後に限りマイク及びスピーカを用いたインターホン通話動作を可能とするように構成されており、
前記マイク及びスピーカは固定して設けられるハンズフリーのインターホン通話が可能なものであり、このスピーカからの呼出音の出力と同時にカメラ付ドアホンから音声信号が送信されてきても、通話釦が操作されていなければ通話制御手段はオフ状態のままで、同スピーカからは音声信号が再生出力されないものであって、
前記通話制御手段と前記モニタテレビの両者がともにオフ状態のときにモニタ釦が操作されると、これら両者がともにオンされるものの、その際には前記マイクが動作しないように前記通話制御手段が制御され、前記通話制御手段では前記カメラ付ドアホンから送信されてくる音声信号の再生出力処理のみを実行するように制御され、前記通話制御手段と前記モニタテレビの両者がともにオン状態のときに前記通話釦が操作されると、これら両者が同時にオフされるように制御され、同両者がともにオフ状態のときに前記通話釦が操作されると、これら両者が同時にオンされるように制御され、同両者のうち一方がオンで他方がオフの状態のときに前記通話釦が操作されると、前記モニタテレビについてはオン又はオフの現状を維持したままで、前記通話制御手段のみが単独でオフ又はオンに切替えられるように制御されるものであることを特徴とするモニタテレビ付インターホン。
【発明の詳細な説明】
【０００１】
【産業上の利用分野】
本発明は、住戸の玄関口等の屋外に設置されるカメラ付ドアホンで撮像される来訪者の容姿を屋内で確認しながらその来訪者とインターホン通話を行うのに適用されるモニタテレビ付インターホンに関する。
【０００２】
【従来の技術】
従来、この種のモニタテレビ付インターホンとしては、カメラ付ドアホンから送信されてくる映像信号を再生して画面出力させるモニタテレビをオン・オフさせるためのモニタ釦と、マイクやスピーカを用いてのインターホン通話をオン・オフさせるための通話釦が設けられているのが通例である。尚、従来では、インターホン通話に際してハンドセットを用いるタイプのものも提案されているが、この場合にはそのハンドセットのフックスイッチがインターホン通話の通話釦として機能するように構成されている。而して、従来では、これらモニタ釦や通話釦はモニタテレビの動作やインターホン通話の各々を個々にオン・オフできるに過ぎなかった。即ち、従来では、モニタ釦はモニタテレビのオン・オフのみが行え、また通話釦はインターホン通話のオン・オフのみが行えるに過ぎなかった。
【０００３】
また、この種のモニタテレビ付インターホンは、カメラ付ドアホン側で呼出操作がなされると、所定のチャイム音等の呼出音を発生させる必要があるが、従来では、かかる呼出音を発生させるべくスピーカアンプを駆動させると、カメラ付ドアホン側から送信されてくる音声信号も再生され、来訪者の音声がスピーカから同時に出力されるようにされていた。
【０００４】
【発明が解決しようとする課題】
上記従来のものでは、カメラ付ドアホン側から呼出しがなされることにより所望のチャイム音を呼出音としてスピーカから出力させている際に、来訪者がカメラ付ドアホンに対して音声を入力させると、この来訪者の音声が所望のチャイム音と一緒にスピーカから出力されてしまう事態が発生する。その結果、屋内の居住者は適正な呼出しがあったのか否かを明確に判断できないような場合があった。
【０００５】
本発明は上記の点に鑑みて提案されたもので、ユーザーにとって使い勝手の良好なモニタテレビ付インターホンを提供することを、その目的としている。
【０００６】
【課題を解決するための手段】
上記目的を達成するために提案された請求項１に記載の本発明に係るモニタテレビ付インターホンは、カメラ付ドアホンから呼出信号が送信されてきたときにスピーカから所定の呼出音を発生させるための呼出回路とマイク及びスピーカによるインターホン通話を実行するための通話制御手段とが別個に設けられ、この通話制御手段は、所定の通話釦がオン操作された後に限りマイク及びスピーカを用いたインターホン通話動作を可能とするように構成されており、前記マイク及びスピーカは固定して設けられるハンズフリーのインターホン通話が可能なものであり、このスピーカからの呼出音の出力と同時にカメラ付ドアホンから音声信号が送信されてきても、通話釦が操作されていなければ通話制御手段はオフ状態のままで、同スピーカからは音声信号が再生出力されないものであって、前記通話制御手段と前記モニタテレビの両者がともにオフ状態のときにモニタ釦が操作されると、これら両者がともにオンされるものの、その際には前記マイクが動作しないように前記通話制御手段が制御され、前記通話制御手段では前記カメラ付ドアホンから送信されてくる音声信号の再生出力処理のみを実行するように制御され、前記通話制御手段と前記モニタテレビの両者がともにオン状態のときに前記通話釦が操作されると、これら両者が同時にオフされるように制御され、同両者がともにオフ状態のときに前記通話釦が操作されると、これら両者が同時にオンされるように制御され、同両者のうち一方がオンで他方がオフの状態のときに前記通話釦が操作されると、前記モニタテレビについてはオン又はオフの現状を維持したままで、前記通話制御手段のみが単独でオフ又はオンに切替えられるように制御されるものである。
【０００７】
【作用】
上記構成を特徴とする請求項１に記載の本発明に係るモニタテレビ付インターホンにおいては、カメラ付ドアホンから呼出信号が送信されてきたときには呼出回路が動作してスピーカから所定の呼出音を発生させるが、通話制御回路は所定の通話釦がオン操作されない限り駆動されない。従って、通話釦をオン操作しない限りは、カメラ付ドアホンからの呼出しによってスピーカからチャイム音等の呼出音が発生されている際に、カメラ付ドアホンから送信されてくる音声信号が呼出音と一緒に再生出力されるようなことはなく、所定の呼出音のみが適切に出力される。
【０００８】
【実施例】
以下、本発明の一実施例について図面を参照して説明する。図１は本発明に係るモニタテレビ付インターホン１のハード構成の一例を示すブロック図、図２はその外観を示す正面図である。このモニタテレビ付インターホン１は、撮像用カメラ３０を具備するカメラ付ドアホン３と通信線Ｌを介して接続されて使用されるもので、カメラ付ドアホン３から伝送されてくる映像信号のインピーダンスマッチングを行う平衡／不平衡整合回路１２が通信線Ｌに接続されている。この平衡／不平衡整合回路１２には、モニタテレビ２０及び後述のインターホン通話実行用の回路が接続されている。モニタテレビ２０は、映像信号の分波を行うビデオバッファ分波回路２０ｃや、画面制御部２０ｂの制御によって映像信号を画面表示して再生出力するＣＲＴ等の表示画面２０ａ等から構成されたものである。
【０００９】
インターホン通話実行用の回路としては、通話制御回路１０にアンプ１１、１１ａを介して接続されたマイクＭＣやスピーカＳＰを具備する他、マイクＭＣから入力された音声の音声信号を変調してカメラ付ドアホン３側に送信させるための変調回路１３、及びカメラ付ドアホン３から変調されて送信されてくる音声信号を復調する復調回路１４も具備している。このうち、通話制御回路１０は、送受話器（ハンドセット）の取り上げを不要とし、モニタテレビ付インターホン１の前面部等の適当な位置へ固定して設けられたマイクＭＣとスピーカＳＰを用いての所謂ハンズフリーのインターホン通話を可能とすべく制御するものである。
【００１０】
また、上記以外として、カメラ付ドアホン３の呼出釦３１が操作されて出力される所定の呼出信号を検知するための呼出検知回路１５、この呼出検知回路１５で呼出信号が検知されたときにスピーカＳＰからチャイム音を出力させるようにスピーカＳＰ用のアンプ１１ａに信号入力を行う呼出回路１７、及び通信線Ｌ側に定電流を供給するための定電流回路１６等も具備している。このうち、呼出検知回路１５や呼出回路１７は、通話制御回路１０とは別個に動作可能なもので、カメラ付ドアホン３から呼出信号を受信したときには通話制御回路１０のオフ状態を維持したままであっても、スピーカＳＰから所定のチャイム音を出力可能である。
【００１１】
上記のうち、通話制御回路１０やモニタテレビ２０等の各回路はＣＰＵ２４に接続されており、これら各部の駆動はＣＰＵ２４によって制御されている。また、このＣＰＵ２４には、モニタ釦２１、通話釦２２、及びこの通話釦２２の表面部又はその周辺位置に設けられた通話表示灯２３が接続されている。この通話表示灯２３は、通話制御回路１０が動作オン状態のときにのみ点灯又は点滅駆動するように設けられている。
【００１２】
更に、上記ＣＰＵ２４は、具体的には次のような制御を行うべく構成されている。即ち、ＣＰＵ２４は、モニタ釦２１や通話釦２２が各々操作されると、原則的には、モニタテレビ２０のオン・オフ、及び通話制御回路１０のオン・オフが各々個々になされるように制御する。但し、モニタ釦２１との関連では、通話制御回路１０とモニタテレビ２０の両者がともに動作オフの状態時にモニタ釦２１が操作されると、通話制御回路１０とモニタテレビ２０との両者をともに動作オン状態とするものの、その際にはマイクＭＣが動作しないように通話制御回路１０を制御する。そして、この通話制御回路１０では、カメラ付ドアホン３から送信されてくる音声信号の再生出力処理のみを実行するように制御すべく構成されている。
【００１３】
また、ＣＰＵ２４は、通話釦２２との関連では、通話制御回路１０とモニタテレビ２０の両者が動作オン状態のときに通話釦２２が操作されると、これら両者１０、２０の双方を同時にオフとするように制御する。また逆に、モニタテレビ２０と通話制御回路１０の両者が動作オフのときに通話釦２２が操作されると、これら両者を同時にオンとするように制御すべく構成されている。尚、通話制御回路１０とモニタテレビ２０の両者のうち、何れか一方がオンで他方がオフの状態時に通話釦２２が操作された場合には、モニタテレビ２０についてはオン又はオフの現状を維持させたまま、通話制御回路１０のみを単独でオフ又はオンに切替えるように制御すべく構成されている。
【００１４】
上記構成のモニタテレビ付インターホン１では、先ず通話制御回路１０及びモニタテレビ２０の両者がともにオフ状態の場合において、来訪者がカメラ付ドアホン３の呼出釦３１を操作すると、所定の呼出信号が呼出検知回路１５で検知され、呼出回路１７からスピーカ用アンプ１１ａに対して所定の信号が入力される。そして、スピーカＳＰからは、呼出音として例えば『ピンポン』のチャイム音が出力される。この場合、そのチャイム音と同時にカメラ付ドアホン３から来訪者の音声信号が送信されてくる場合があるが、通話釦２２が操作されていなければ、通話制御回路１０はオフ状態のままであるから、この来訪者の音声がスピーカＳＰから再生出力されることはない。従って、カメラ付ドアホン３からの呼出しによるチャイム音の発生と同時に、来訪者の声もスピーカＳＰから同時に出力されるような不具合はなく、チャイム音のみを明瞭に発生させることができる。
【００１５】
図３は、上記した動作のタイムチャートであり、同図（ｂ）の『ピンポン』のスピーカ音が出力されているときには、同図（ｄ）のように通話制御回路１０は駆動されていないため、同図（ｅ）のドアホン音声『もしもし』はスピーカＳＰから出力されない。
【００１６】
次いで、上記の呼出しがあった後に、インターホン通話を実行すべく居住者が通話釦２２を操作すると、通話制御回路１０とモニタテレビ２０との双方がともにオンとされる。従って、モニタ釦２１を別個に操作することなく、モニタテレビ２０の表示画面２０ａに来訪者の映像を即座に映し出してから、マイクＭＣ及びスピーカＳＰを用いたハンズフリーのインターホン通話を適切に実行できることとなる。また、このインターホン通話を終了するときには、やはり通話釦２２のみを単独で操作すればよく、これによって通話制御回路１０とモニタテレビ２０の両者が同時にオフとなり、スイッチ操作が容易化する。また、これにより、モニタテレビ２０と通話制御回路１０との何れか一方をオフにするのを忘れてしまうといったことも解消される。尚、インターホン通話については継続して実行し、モニタテレビ２０のみをオフにしたい場合には、モニタ釦２１を操作すればよい。
【００１７】
また、本発明では、上記とは異なり、カメラ付ドアホン３からの呼出しがあったときに、これに対応してモニタテレビ２０が自動的にオンとなるように構成してもよい。この場合には、モニタテレビ２０で来訪者を確認した上で、図４（ｃ）の矢印Ａに示すように通話釦２２をオン操作すると、これにより通話制御回路１０がオンとなって通話表示灯２３が点灯し、インターホン通話を実行できる。また、このインターホン通話を終了すべく通話釦２２を再度操作すると（矢印Ｂ）、これにより通話制御回路１０とモニタテレビ２０との双方がオフとなる。
【００１８】
更に、この種のモニタテレビ付インターホン１では、インターホン通話以外として、屋外の様子を確認する用途に使用する場合があり、この場合には、モニタテレビ２０及び通話制御回路１０がともにオフの状態で、モニタ釦２１を操作すればよい。かかる操作がなされると、モニタテレビ２０がオンとなってカメラ付ドアホン３で撮像される映像をモニタできることは勿論のこと、マイクＭＣのオフ状態を維持したまま通話制御回路１０がオンとなって、カメラ付ドアホン３のマイク（不図示）に入力される音声がスピーカＳＰから再生出力される。従って、屋内での会話音声がカメラ付ドアホン３のスピーカ（不図示）から出力されるような不具合を生じさせることなく、屋外の映像及び音声を確認することができる。
【００１９】
図５は、上記動作のタイムチャートであり、同図（ａ）でモニタ釦２１がオン操作されると、同図（ｂ）、（ｃ）に示すように、ドアホン映像出力とスピーカ出力がオンとなるが、マイクＭＣについてはオフ状態が維持されている。
【００２０】
【発明の効果】
以上の説明から理解されるように、請求項１に記載の本発明によれば、カメラ付ドアホンから呼出しがあったときの呼出音の出力時にカメラ付ドアホンから送信されてくる音声信号がスピーカから同時に出力されるようなことを無くし、カメラ付ドアホンから呼出しがあったか否かの判別が適正に行える等の効果が得られる。更に、上記の呼出しがあった後に、通話釦を操作すると、通話制御手段とテレビモニタの双方がともにオンされ、モニタ釦を別個に操作することなく、モニタテレビに映像を即座に映し出してから、マイク及びスピーカを用いたハンズフリーのインターホン通話を適切に実行でき、インターホン通話を終了するときには、やはり通話釦のみを単独で操作すればよく、これによって通話制御手段とモニタテレビの両者が同時にオフとなり、スイッチ操作が容易化する。また、これにより、モニタテレビと通話制御手段の何れか一方をオフにするのを忘れてしまうといったことも解消される。しかも、屋外の様子を確認する用途に使用する場合には、モニタテレビ及び通話制御回路がともにオフ状態で、モニタ釦を操作すれば、屋内での会話音声がカメラ付ドアホンから出力されるような不具合を生じさせることなく、屋外の映像及び音声を確認することができる。
【図面の簡単な説明】
【図１】本発明に係るモニタテレビ付インターホンのハード構成の一例を示すブロック図。
【図２】本発明に係るモニタテレビ付インターホンの外観の一例を示す正面図。
【図３】本発明に係るモニタテレビ付インターホンの動作状態の一例を示すタイムチャート。
【図４】本発明に係るモニタテレビ付インターホンの動作状態の他の例を示すタイムチャート。
【図５】本発明に係るモニタテレビ付インターホンの動作状態の他の例を示すタイムチャート。
【符号の説明】
１  モニタテレビ付インターホン
３  カメラ付ドアホン
１０  通話制御回路
１１，１１ａ  アンプ
１２  平衡／不平衡整合回路
１３  変調回路
１４  復調回路
１５  呼出検知回路
１７  呼出回路
２０  モニタテレビ
２０ａ  表示画面
２０ｂ  画面制御部
２０ｃ  ビデオバッファ分波回路
２１  モニタ釦
２２  通話釦
２３  通話表示灯
２４  ＣＰＵ
３０  撮像用カメラ
３１  呼出釦
【図１】
0003599576.tif 000002
【図２】
0003599576.tif 000003
【図３】
0003599576.tif 000004
【図４】
0003599576.tif 000005
【図５】
0003599576.tif 000006